(57)【要約】  ワックスエステル組成物の実施態様には、化学触媒又は酵素触媒のうちの一つを用いたオレイン酸オレイル、ステアリン酸ステアリル、及びベヘン酸ベヘニルのエステル交換反応の生成物が含まれ得る。エステル交換前の混合物中のオレイン酸オレイル、ステアリン酸ステアリル、ベヘン酸ベヘニルの比率は、重量で測定してそれぞれ６５％／２３％／１２％、５６％／２９％／１５％、又は３６％／３４％／３０％である。生成物は、ホホバエステルを含むエステル交換ワックスエステル組成物の物理的性質と略同等の物理的性質を示し得る。
2020519740.tif 000002
【特許請求の範囲】
【請求項１】
ワックスエステル組成物であって、
化学触媒、酵素触媒、バイオベース触媒、及びそれらの任意の組み合わせのいずれかを用いて脂肪酸及び脂肪アルコールから誘導される３つのエステルのエステル交換生成物を含み、エステル交換前の混合物中の前記３つのエステルの比率は、第１エステル、第２エステル、及び第３エステルが前記混合物の重量で測定して、それぞれ６５％／２３％／１２％、５６％／２９％／１５％、及び３６％／３４％／３０％であり、
前記生成物が、ホホバエステルを含むエステル交換ワックスエステル組成物の物理的性質と略同等の物理的性質を示す、ワックスエステル組成物。
【請求項２】
前記生成物が、前記ホホバエステルを含むエステル交換ワックスエステル組成物と同等の感覚的属性を示す、請求項１に記載の組成物。
【請求項３】
前記生成物が、前記ホホバエステルを含むエステル交換ワックスエステル組成物と同等の機能的属性を示す、請求項１に記載の組成物。
【請求項４】
前記３つのエステルが、オレイン酸、ステアリン酸、及びベヘン酸を含む脂肪酸、並びにオレイルアルコール、ステアリルアルコール、及びベヘニルアルコールを含む脂肪アルコールからそれぞれ誘導される、請求項１に記載の組成物。
【請求項５】
前記物理的性質がヨウ素価及び滴点のいずれかである、請求項１に記載の組成物。
【請求項６】
前記生成物の平均分子量が、前記ホホバエステルを含むエステル交換ワックスエステル組成物の平均分子量未満である、請求項１に記載の組成物。
【請求項７】
前記感覚的属性が、感触、テクスチャ、及び作用時間のうちの１つである、請求項２に記載の組成物。
【請求項８】
前記機能的属性が、粘度、色、及び安定性である、請求項３に記載の組成物。
【請求項９】
前記３つのエステルが、１８〜２２個の炭素の炭素鎖長を有する、請求項１に記載の組成物。
【請求項１０】
前記炭素鎖長分布が、３４〜４４個の炭素であり、ピークが３６個の炭素である、請求項１に記載の組成物。
【請求項１１】
前記ホホバエステルを含むエステル交換ワックスエステル組成物は、炭素鎖長の分布が３６〜４６個の炭素であり、ピークが４２個の炭素である、請求項１０に記載の組成物。
【請求項１２】
ワックスエステル組成物であって、
化学酵素、酵素触媒、バイオベース触媒、及びそれらの任意の組み合わせのいずれかを使用して、脂肪酸及び脂肪アルコールから誘導される３つ以上のエステルのエステル交換合成物を含み、
前記合成物が、植物由来のホホバエステルを含むエステル交換ワックスエステル組成物の物理的性質と略同等の物理的性質を示す、ワックスエステル組成物。
【請求項１３】
前記合成物は、炭素鎖長分布が３４〜４４個の炭素であり、ピークが３６個の炭素であり、前記ホホバエステルを含む前記エステル交換ワックスエステル組成物は、炭素鎖長分布が３６〜４６個の炭素であり、ピークが４２個の炭素である、請求項１２に記載の組成物。
【請求項１４】
前記合成物が、前記ホホバエステルを含むエステル交換ワックスエステル組成物と同等の感覚的属性を示す、請求項１３に記載の組成物。
【請求項１５】
前記合成物が、前記ホホバエステルを含むエステル交換ワックスエステル組成物と同等の機能的属性を示す、請求項１３に記載の組成物。
【請求項１６】
前記物理的性質が、ヨウ素価及び滴点のいずれかである、請求項１３に記載の組成物。
【請求項１７】
前記合成物の平均分子量が、前記ホホバエステルを含むエステル交換ワックスエステル組成物の平均分子量未満であり、前記合成物のピーク炭素鎖長が３６個の炭素である、請求項１３に記載の組成物。
【請求項１８】
前記感覚的属性が、感触、テクスチャ、及び作用時間のうちの１つである、請求項１４に記載の組成物。
【請求項１９】
前記機能的属性が、粘度、色、及び安定性である、請求項１５に記載の組成物。
【請求項２０】
ワックスエステル組成物であって、
第１のエステル及び第２のエステルのエステル交換生成物であって、各エステルが、化学触媒、酵素触媒、バイオベース触媒、及びそれらの任意の組み合わせのいずれかを用いて脂肪酸及び脂肪アルコールから誘導され、エステル交換前の混合物中の前記第１のエステルと前記第２のエステルの比率が、前記混合物の重量で測定して３３．３％／６６．７％である生成物を含み、
前記生成物が、ホホバエステルを含むエステル交換ワックスエステル組成物の物理的性質と略同等の物理的性質を示す、ワックスエステル組成物。
【発明の詳細な説明】
【技術分野】
【０００１】
本文書の態様は、概して、合成ワックスエステル組成物についての組成物に関する。より具体的な実施態様は、化粧品に使用される合成組成物を含む。
２．
【背景技術】
【０００２】
従来、物理的及び化学的性質が観察されるホホバエステルを取得するには、ホホバ植物の採集種子から油を抽出する必要がある。その後、油はエステル交換プロセスを経て処理される。
【発明の概要】
【０００３】
ワックスエステル組成物の実施態様には、化学触媒、酵素触媒、バイオベース触媒、又はそれらの任意の組み合わせのうちのいずれかを使用して、脂肪酸及び脂肪アルコールから誘導される３つのエステルのエステル交換生成物が含まれ得る。エステル交換前の混合物中の３つのエステルの比率は、第１のエステル、第２のエステル、及び第３のエステルがそれぞれ混合物の重量で測定して６５％／２３％／１２％、５６％／２９％／１５％、又は３６％／３４％／３０％である。生成物は、ホホバエステルを含むエステル交換ワックスエステル組成物の物理的性質と略同等の物理的性質を示し得る。
【０００４】
ワックスエステル組成物の実施態様は、次のうちの１つ、全て、又は任意のいずれかを含み得る。
【０００５】
生成物は、ホホバエステルを含むエステル交換ワックスエステル組成物と同等の感覚的属性を示し得る。
【０００６】
生成物は、ホホバエステルを含むエステル交換ワックスエステル組成物と同等の機能的属性を示し得る。
【０００７】
３つのエステルは、オレイン酸、ステアリン酸、及びベヘン酸を含む脂肪酸、並びにオレイルアルコール、ステアリルアルコール、及びベヘニルアルコールを含む脂肪アルコールからそれぞれ誘導される。
【０００８】
物理的性質は、ヨウ素価及び滴点のいずれかであり得る。
【０００９】
生成物の平均分子量は、ホホバエステルを含むエステル交換ワックスエステル組成物の平均分子量未満であってもよい。
【００１０】
感覚的属性は、感触、テクスチャ、又は作用時間のいずれかであり得る。
【００１１】
機能的属性は、粘度、色、又は安定性であり得る。
【００１２】
３つのエステルの炭素鎖長は１８〜２２個の炭素である。
【００１３】
炭素鎖長分布は３４〜４４個の炭素であり、ピークが３６個の炭素であり得る。
【００１４】
ホホバエステルを含むエステル交換ワックスエステル組成物は、炭素鎖長分布が３６〜４６個の炭素であり、ピークが４２個の炭素であり得る。
【００１５】
ワックスエステル組成物の実施態様は、化学触媒、酵素触媒、バイオベース触媒、又はそれらの任意の組み合わせのいずれかを使用する脂肪酸及び脂肪アルコールから誘導される３つ以上のエステルの合成物を含み得る。合成物は、植物由来のホホバエステルを含むエステル交換ワックスエステル組成物の物理的性質と略同等の物理的性質を示し得る。
【００１６】
ワックスエステル組成物の実施態様は、次のうちの１つ、全て、又は任意のいずれかを含み得る。
【００１７】
合成物は、炭素鎖長分布が３４〜４４個の炭素であり、ピークが３６個の炭素であり得る一方、ホホバエステルを含むエステル交換ワックスエステル組成物は、炭素鎖長分布が３６〜４６個の炭素であり、ピークが４２個の炭素であり得る。
【００１８】
合成物は、ホホバエステルを含むエステル交換ワックスエステル組成物と同等の感覚的属性を示し得る。
【００１９】
合成物は、ホホバエステルを含むエステル交換ワックスエステル組成物と同等の機能的属性を示し得る。
【００２０】
物理的性質は、ヨウ素価又は滴点のいずれかであり得る。
【００２１】
合成物の平均分子量は、ホホバエステルを含むエステル交換ワックスエステル組成物の平均分子量未満である。
【００２２】
感覚的属性は、感触、テクスチャ、又は作用時間のいずれかであり得る。
【００２３】
機能的属性は、粘度、色、又は安定性であり得る。
【００２４】
該合成物の炭素鎖長のピークは、３６個の炭素であり得る。
【００２５】
ワックスエステル組成物の実施態様には、第１エステルと第２エステルのエステル交換生成物が含まれ得、第１エステルと第２エステルの各々は、化学触媒、酵素触媒、バイオベース触媒、又はそれらの任意の組み合わせを使用して、脂肪酸と脂肪アルコールから誘導される。エステル交換前の混合物中の第１エステルと第２エステルの比率は、混合物の重量で測定して３３．３％／６６．７％であり得る。生成物は、ホホバエステルを含むエステル交換ワックスエステル組成物の物理的性質と略同等の物理的性質を示し得る。
【００２６】
前述及び他の態様、特徴、及び利点は、発明を実施するための形態及び図面、並びに特許請求の範囲から、当業者には明らかであろう。
【図面の簡単な説明】
【００２７】
実施態様は添付図面と併せて以下説明し、同様の名称は同様の要素を指す。
【００２８】
【図１】合成ワックスエステル組成物と植物由来のホホバエステルの実施態様のヨウ素価及び滴点を比較するグラフである。
【００２９】
【図２】合成ワックスエステル組成物と植物由来のホホバエステルの実施態様の平均分子量及び滴点を比較するグラフである。
【００３０】
【図３】ヨウ素価が６６の、合成ワックスエステル組成物及び植物由来のホホバエステルの実施態様のワックスエステルの分布を比較するグラフである。
【００３１】
【図４】ヨウ素価が６０の、合成ワックスエステル組成物と植物由来のホホバエステルの実施態様のワックスエステルの分布を比較するグラフである。
【００３２】
【図５】ヨウ素価が４４の、合成ワックスエステル組成物及び植物由来のホホバエステルの実施態様」のワックスエステルの分布を比較するグラフである。
【発明を実施するための形態】
【００３３】
本開示、その態様及び実施態様は、本明細書で開示される特定の成分、集合手順、又は方法要素に限定されない。意図されるワックスエステル組成物と両立する、当該技術分野で知られている多くの追加の成分、集合手順、及び／又は方法要素が、本開示から特定の実施態様において使用されるために明らかになるであろう。したがって、例えば、特定の実施態様が開示されているが、そのような実施態様及び実装成分は、意図される操作及び方法と一致する、上記ワックスエステル組成物並びに実装成分及び方法に関して、当該技術分野で既知である任意の形状、サイズ、スタイル、タイプ、モデル、バージョン、測定値、濃度、材料、量、方法要素、ステップなどを含むことができる。
【００３４】
本明細書に記載されるワックスエステル組成物の実施態様は、国際化粧品成分命名法（ＩＮＣＩ）によってホホバエステルとして分類されるホホバベースの製品の感覚的及び機能的属性を再現するものである。本明細書に開示されるワックスエステルの実施態様は、自然界では観察されないため合成である。各種実施態様において、合成ワックスエステル組成物の属性には、感触、テクスチャ、作用時間、滴点、ヨウ素価、粘度、色、及び安定性が含まれ得る。ワックスエステル組成物の実施態様は、アリゾナ州チャンドラーのＩｎｔｅｒｎａｔｉｏｎａｌ  Ｆｌｏｒａ  Ｔｅｃｈｎｏｌｏｇｉｅｓ，Ｌｔｄ．によりＦＬＯＲＡＥＳＴＥＲＳ２０、ＦＬＯＲＡＥＳＴＥＲＳ３０、及びＦＬＯＲＡＥＳＴＥＲＳ６０の商品名で販売されているホホバエステル製品の感覚的及び機能的属性を再現することができる。
【００３５】
本明細書に開示されるワックスエステル組成物の実施態様は、ホホバ植物の種子に由来するホホバエステルにのみ元来見られる様々な属性を示す特定の比率の２つ以上のエステルの組み合わせを使用して合成され得る。本明細書に記載のワックスエステル組成物の実施態様のための出発物質には、オレイン酸オレイル、ステアリン酸ステアリル、及びベヘン酸ベヘニルが含まれる。他の実施態様では、ワックスエステル組成物は、脂肪酸及び脂肪アルコールから誘導される２つ以上のエステルを含んでもよい。各種実施態様において、脂肪酸はオレイン酸、ステアリン酸、及びベヘン酸を含んでもよく、脂肪アルコールはオレイルアルコール、ステアリルアルコール、及びベヘニルアルコールを含んでもよい。２つ以上のエステルは、１８から２２個の炭素の炭素鎖長を含み得る。他の実施態様では、２つ以上のエステルは、３４〜４４個の炭素の炭素鎖長分布を含み得る。いくつかの実施態様において、エステル化ワックスエステル出発物質の代わりに、個々の脂肪アルコール及び脂肪酸を使用してもよい。様々な実施態様で使用できる様々な源からの追加の適切な個々の脂肪アルコール及び脂肪酸の例は、非限定的な例として、トリグリセリド、カプリル、オクチルドデカノール、パルミチン酸エチルヘキシル、炭酸ジカプリリル、ヒマワリ油（高オレイン酸含有量）、ココナッツ油、パーム核油、ココアバター、アボカド油、パーム油、オリーブ油、アーモンド油、ニーム油、キャノーラ油、ルリヂサ油、ゴマ油、小麦胚芽、コーン油、大豆油、ひまわり油（低オレイン酸含有量）、ククイ、チア種子油、グレープ種子油、米ぬか油、麻油、ベニバナ油、及び化粧品の成分として有用な他のエステル含有油を含む。
【００３６】
オレイン酸オレイルは、オレイルアルコールとオレイン酸のエステルである。オレイン酸オレイルの化学式はＣ３６Ｈ６８Ｏ２、分子量は５３２．９４ｇ／ｍｏｌ、融点は１４〜１６℃である。オレイン酸オレイルは、非限定的な例として、様々な動物性脂肪、植物性脂肪、オリーブ油、小麦胚芽油、ココナッツ油、亜麻仁油、アーモンド油、ベニバナ油などを含む油、又はそれらの任意の組み合わせ由来であり得る。また、オレイン酸オレイルは、牛肉又は羊肉の脂肪から得られる食用に適さない獣脂から商業的に入手することもできる。様々な前駆体から化学反応を介して、純粋な合成原料からオレイン酸オレイルを得ることも可能である。オレイン酸オレイルは液体であり、食品、軟せっけん、固形せっけん、パーマヘア溶液、クリーム、マニキュア液、口紅、ヘアコンディショニング剤、スキンコンディショニング剤において軟化剤として使用され得る。また、オレイン酸オレイルは、（Ｚ）−オクタデカ−９−エニルオレイン酸塩、９−オクタデセン酸（９Ｚ）、（９Ｚ）−９−オクタデセニルエステル、９−オクタデセン酸、９−オクタデセニルエステル、９−オクタデセニルエステル９−オクタデセン酸、９オクタデセン酸（Ｚ）、９−オクタデセニルエステル、（Ｚ）、オレイン酸、オレイルエステル、又はオレイルエステルオレイン酸として列挙され得る。オレイン酸オレイルの誘導体は、ステアリン酸オレイル及びパルミチン酸オレイルを含み得る。
【００３７】
ステアリン酸ステアリルは、ステアリルアルコールとステアリン酸のエステルである。ステアリン酸ステアリルの化学式はＣ３６Ｈ７２Ｏ２であり、分子量は５３６．９７ｇ／ｍｏｌである。ステアリン酸ステアリルは、非限定的な例として、クジラ油、動物性脂肪、植物油、植物源、ココアバター、及びシアバターから調製され得る。様々な前駆体からの化学反応を介して、純粋な合成原料からステアリン酸ステアリルを取得することも可能である。ステアリン酸ステアリルは固体アルコールの混合物であり、医薬品、クリーム、リンス、シャンプー、及びその他の類似製品に使用され得る。ステアリン酸ステアリルは、非限定的な例として、オクタデカン酸、オクタデシルエステル、オクタデカン酸、オクタデシルエステル、ステアリン酸、ステアリルエステル、オクタデシルエステルオクタデカン酸、及びステアリン酸オクタデシルとしてもリストアップされ得る。ステアリン酸ステアリルの誘導体は、ステアラミンオキシド、酢酸ステアリル、カプリル酸ステアリル、クエン酸ステアリル、ステアリルジメチルアミン、グリチルレチン酸ステアリル、ヘプタン酸ステアリル、オクタン酸ステアリル、及びステアリン酸ステアリルを含み得る。
【００３８】
ベヘン酸ベヘニルは、ベヘニルアルコールとベヘン酸のエステルである。ベヘン酸ベヘニルの化学式はＣ４４Ｈ８８Ｏ２であり、分子量は６４９．１９ｇ／ｍｏｌである。ベヘン酸ベヘニルは、非限定的な例として、ベンオイルツリー（ワサビノキ）の種子、プラカキシ油、ナタネ油、キャノーラ油、ピーナッツ油、及びピーナッツの皮を含む油及び油含有植物由来であり得る。様々な前駆体からの化学反応により、純粋な合成原料からベヘン酸ベヘニルを取得することも可能である。ベヘン酸ベヘニルは乾燥粉末であり、ヘアコンディショナー、保湿剤、潤滑油、消泡剤、床磨き剤、ろうそくに使用され得る。また、ベヘン酸ベヘニルは、ドコシルドコサン酸、ドコサニルドコサン酸、ドコサン酸、ドコシルエステル、ベヘン酸ドコシル、ＰｅｌｅｍｏｌＢＢ、及びＫｅｓｔｅｒ  ＷａｘＢＢとして列挙され得る。
【００３９】
本明細書に開示されるワックスエステル組成物の実施態様は、オレイン酸オレイル、ステアリン酸ステアリル、及びベヘン酸ベヘニルを、測定された重量による特定の比率で組み合わせることによって製造される。特定の実施態様では、比率はオレイン酸オレイル５６％、ステアリン酸ステアリル２３％、ベヘン酸ベヘニル１２％である。別の実施態様では、比率はオレイン酸オレイル５６％、ステアリン酸ステアリル２９％、ベヘン酸ベヘニル１５％である。別の実施態様では、比率はオレイン酸オレイル３６％、ステアリン酸ステアリル３４％、ベヘン酸ベヘニル３０％である。これらの各種実施態様を以下の表１に示す。いったん本文書で前述した比率のいずれかで組み合わされると、組成物は、化学プロセス、バイオベース触媒プロセス、酵素触媒プロセス、それらの任意の組み合わせ、又は当技術分野の他の既知のプロセスを通してエステル交換される。触媒プロセスの使用によるエステル交換については、２０１５年８月３１日に提出され、米国特許公開第２０１６０１７７３５０号として公開されているＪｅｆｆ  Ａｄｄｙらによる米国特許出願第１４／８４１，２４２号「ワックスエステル誘導体の触媒製造プロセス及びシステム」に記載されており、その開示は参照により全体が本明細書に組み込まれる。
【００４０】
理論に束縛されることなく、これらの材料を適切な比率でエステル交換することによるワックスエステル組成物の合成は、ホホバエステル由来のエステル交換ワックスエステル組成物と略同等の物理的性質を示す、全く予期不能な結果を達成すると考えられる。例えば、本明細書に開示される合成ワックスエステル組成物は、ホホバエステルを含むエステル交換ワックスエステル組成物と同等の感覚的属性を示す。製品の感覚的属性は、ホホバエステルを含むエステル交換ワックスエステル組成物と略同等の感触、テクスチャ、又は作用時間を含み得る。合成されたワックスエステル生成物は、ホホバエステルを含むエステル交換ワックスエステル組成物と同等の機能的属性を示す。非限定的な例として、製品の機能的属性は、粘度、色、又は安定性を含み得る。本明細書に記載のワックスエステル組成物の実施態様は、ＦＬＯＲＡＥＳＴＥＲＳ２０、ＦＬＯＲＡＥＳＴＥＲＳ３０、及びＦＬＯＲＡＥＳＴＥＲＳ６０を含むホホバエステル製品関連の属性を有する費用効果の高い代替品として利用され得る。
【表１】
2020519740.tif 000003
【００４１】
ワックスエステル生成物の実施態様は、驚くべきことにホホバエステルの物理的性質も再現することが実証された。一例では、物理的性質に生成物の滴点が含まれた。合成されたワックスエステル生成物は、表２に示されるように、同様のヨウ素価を有し、より低い分子量を有しながら、ホホバエステルの滴点を再現することが示された。分子内の不飽和は、具体的にはシス構造をとると予想される。当業者であれば、同程度の不飽和度及びヨウ素価を有するワックスエステルベースの脂質は、同様の滴点を有すると予測するであろう。また、当業者であれば、高分子量の種は、同様のヨウ素価を有する低分子量化合物よりも高い滴点を有すると予測するであろう。表でＳＹＮＯＢＡとラベル付けされたワックスエステル組成物の実施態様は、これらの予測される特性を示さず、その代わりに、ＳＹＮＯＢＡ化合物は同じ滴点を有しながら天然由来のホホバエステルよりも平均分子量が低い。これは全く予期不能な結果である。
【表２】
2020519740.tif 000004
【００４２】
図１を参照すると、グラフは、ＳＹＮＯＢＡ組成物はＦＬＯＲＡＥＳＴＥＲＳ化合物とを比較したとき、同様のヨウ素価と滴点を有することを示している。図２を参照すると、グラフは、ＳＹＮＯＢＡ化合物が、ＦＬＯＲＡＥＳＴＥＲＳ化合物よりもかなり低い分子量を有しつつ、同じ滴点を有することを示している。これらの図が示すように、滴点は、組成物の平均分子量よりもヨウ素値に大きく依存する。いかなる理論にも束縛されることなく、図１及び図２で生成される勾配は、部分飽和したワックスエステル組成物の多形性により、ほぼ同じである。多形とは、結晶を含む固体材料が、複数の形態又は結晶構造で存在できる能力である。シス構造の二重結合は、シス構造に通常存在するより大きな分子間力とより大きな分子構造のために、結晶形成の積層機構を妨げることにより、結晶化を阻害する。本文書に開示される組成物における不飽和の唯一の源は、オレイルアルコールとオレイン酸に由来する。当業者であれば、ホホバ油が不飽和脂肪アルコール及び脂肪酸においてはるかに高い多様性を有することを理解しているであろう。不飽和脂肪アルコールと脂肪酸はどちらも、両生成物のエステル交換反応中に、存在する全てのワックスエステルに均等に分配される。本文書に開示される組成物のより均一な不飽和ワックスエステルは、ホホバ由来の同等物よりも効率的な分子の充填、ひいてはより安定した多形体をもたらすと考えられる。本文書に開示される組成物の密に充填されたワックスエステル多形体は、高い結晶化熱を呈することにより、低い平均分子量と等しい不飽和度を有するにもかかわらず、高い滴点という予期せざる結果が観察される。
【００４３】
図３、４、及び５を参照すると、本文書に開示される組成物の個々のワックスエステル種及び前述のＦＬＯＲＡＥＳＴＥＲＳ組成物の分布が示されている。図３を参照すると、図示された組成物（ＳＹＮＯＢＡ２０）は、６６のヨウ素価を有する。図４を参照すると、図示された組成物（ＳＹＮＯＢＡ３０）は６０のヨウ素価を有する。図５を参照すると、図示された組成物（ＳＹＮＯＢＡ６０）は、４４のヨウ素価を有する。これらのグラフは、本明細書に開示される合成ワックスエステル生成物が、ホホバエステルよりも小さい炭素鎖長分布を有することを示している。図示されるワックスエステル生成物は、炭素鎖長分布が３４〜４４個の炭素であり、ピーク炭素鎖長が３６個の炭素である。ワックスエステル生成物の炭素鎖長は、炭素鎖長分布が３６〜４６個の炭素であり、ピークが４２個の炭素であるホホバエステル化合物よりも平均して小さい。
【００４４】
また、ワックスエステルの実施態様は、化粧品の配合に使用されたときに同様の官能性を備えていた。表３を参照すると、本明細書に開示される組成物（ＳＹＮＯＢＡ２０）とＦＬＯＲＡＥＳＴＥＲＳ２０として販売されている組成物とが、示された配合物に入れられた。配合されたＳＹＮＯＢＡ２０及びＦＬＯＲＡＥＳＴＥＲＳ２０のローションは、同様の感触、粘度、テクスチャ、色、及び安定性を有していた。ＳＹＮＯＢＡ３０とＦＬＯＲＡＥＳＴＥＲＳ３０を比較するため、同じ配合で追加の配合試験を実施した。ここでも、美観と安定性は類似しており、本明細書に開示された組成物は、ワックスエステルプロファイル及び平均分子量が異なるにもかかわらず、商品名ＦＬＯＲＡＥＳＴＥＲＳ並びに他のホホバエステル製品及び組成物として販売されているものの適切な代替物であることをさらに示している。したがって、本明細書に開示されているような組成物は、ホホバ油及びホホバエステル含有組成物の代替物として、ローション、洗顔料、保湿剤、メイク落とし、リップコンディショナー、シェービングジェル、又は類似の塗布物などの化粧品での使用に適し得る。
【表３】
2020519740.tif 000005
【表４】
2020519740.tif 000006
【００４５】
表４は、エステル交換前の混合物全体の各成分の重量パーセントの範囲を示しており、本文書内の類似の性質に関して本文書で観察される結果が観察されている。
【００４６】
上記の説明がワックスエステル組成物の特定の実施態様及び実装成分、サブ成分、方法、及びサブ方法に言及している箇所には、その精神から逸脱することなく多くの修正を加えることができ、これらの実施態様、実装成分、サブ成分、方法、及びサブ方法は、他のワックスエステル組成物にも適用することができる。
【図１】
2020519740.tif 000007
【図２】
2020519740.tif 000008
【図３】
2020519740.tif 000009
【図４】
2020519740.tif 000010
【図５】
2020519740.tif 000011
【国際調査報告】
2020519740.tif 000012